(57)【特許請求の範囲】
【請求項１】
電源供給状態として、通常モードと、通常モードより消費電力の少ない省電力モードとを備えた複数の画像形成装置を管理対象とする管理システムであって、
画像形成装置が省電力モードから通常モードに復帰してジョブを実行したときの他の画像形成装置の稼動状態を取得して記憶する記憶部、
を有し、
前記他の画像形成装置のうちの通常モードである画像形成装置の稼働状態に基づいて、前記ジョブを実行したことの適不適を判定する
ことを特徴とする管理システム。
【請求項２】
前記記憶部は、画像形成装置が省電力モードから通常モードに復帰してジョブを実行した場合にのみ、他の画像形成装置の稼動状態を記憶する
ことを特徴とする請求項１に記載の管理システム。
【請求項３】
前記記憶部は、ジョブ毎に、画像形成装置が該ジョブを省電力モードから通常モードに復帰して実行したか否かを示す情報と、該ジョブの実行時における他の画像形成装置の稼動状態とを関連つけて記憶する
ことを特徴とする請求項１に記載の管理システム。
【請求項４】
前記稼動状態は、電源供給状態を含む
ことを特徴とする請求項１乃至３のいずれか１つに記載の管理システム。
【請求項５】
前記稼動状態は、予約ジョブの数、または、投入したジョブの実行が開始されるまでの待ち時間を含む
ことを特徴とする請求項１乃至４のいずれか１つに記載の管理システム。
【請求項６】
前記記憶部は、前記稼動状態に関する情報に関連つけて、省電力モードから通常モードに復帰して実行されたジョブのジョブ情報をさらに記憶する
ことを特徴とする請求項１乃至５のいずれか１つに記載の管理システム。
【請求項７】
前記ジョブ情報は、そのジョブを投入したユーザに関する情報を含む
ことを特徴とする請求項６に記載の管理システム。
【請求項８】
前記ジョブ情報は、ジョブの種類を示す情報を含む
ことを特徴とする請求項６に記載の管理システム。
【請求項９】
画像形成装置にジョブを送信する端末装置に対して、ジョブ送信先の画像形成装置を選択するための参考情報を提供する情報提供部をさらに有する
ことを特徴とする請求項１乃至８のいずれか１つに記載の管理システム。
【請求項１０】
前記記憶部は、他の画像形成装置の稼動状態と共に前記ジョブを実行した画像形成装置の稼動状態を記憶する
ことを特徴とする請求項１乃至９のいずれか１つに記載の管理システム。
【請求項１１】
画像形成装置と、管理サーバとを有し、
前記各画像形成装置は、前記記憶部をそれぞれ備え、自装置が省電力モードから通常モードに復帰してジョブを実行した場合の他の画像形成装置の稼動状態を自装置の前記記憶部に記憶し、
前記管理サーバは、各画像形成装置の前記記憶部に記憶されている情報を収集する
ことを特徴とする請求項１乃至１０のいずれか１つに記載の管理システム。
【請求項１２】
画像形成装置と、管理サーバとを有し、
画像形成装置は、省電力モードから通常モードに復帰してジョブを実行した場合にその旨を管理サーバに通知し、
前記管理サーバは、前記記憶部を備え、画像形成装置から前記通知を受けたとき、他の画像形成装置の稼動状態を前記記憶部に記憶する
ことを特徴とする請求項１乃至１０のいずれか１つに記載の管理システム。
【請求項１３】
端末装置と、管理サーバとを有し、
前記各端末装置は、前記記憶部をそれぞれ備え、自装置からジョブを画像形成装置へ送信する際にその送信先の画像形成装置が省電力モードから通常モードに復帰して該ジョブを実行する場合の他の画像形成装置の稼動状態を自装置の前記記憶部に記憶し、
前記管理サーバは、各端末装置の前記記憶部に記憶されている情報を収集する
ことを特徴とする請求項１乃至１０のいずれか１つに記載の管理システム。
【請求項１４】
端末装置と、管理サーバとを有し、
前記端末装置は、ジョブを画像形成装置へ送信する際に、その送信先の画像形成装置が省電力モードから通常モードに復帰して該ジョブを実行するときはその旨を管理サーバに通知し、
前記管理サーバは、前記記憶部を備え、前記端末装置から前記通知を受けたとき、前記ジョブの送信先以外の画像形成装置の稼動状態を前記記憶部に記憶する
ことを特徴とする請求項１乃至１０のいずれか１つに記載の管理システム。
【請求項１５】
通常モードである他の画像形成装置が存在したか否か、通常モードの他の画像形成装置の中に予約ジョブ数が規定数未満の画像形成装置が存在するか否か、および、通常モードの画像形成装置がユーザから所定距離以内か否か、の少なくとも一を判定した結果に基づいて、適不適を判定する
ことを特徴とする請求項１乃至１４のいずれか１つに記載の管理システム。
【発明の詳細な説明】
【技術分野】
【０００１】
本発明は、電源供給状態として通常モードと省電力モードとを備えた複数の画像形成装置を管理対象としてその稼動状態を記憶する管理システムに関する。
【背景技術】
【０００２】
近年、オフィスなどに設置されるプリンタや複合機などでは、省電力化の要請が高まっており、実行するジョブやユーザからの操作のない待機状態が一定時間以上継続すると、通常より電力消費の少ない省電力モード（スリープ状態）へ自動的に遷移する機能が設けられている。
【０００３】
また、装置の利用履歴から、スリープ状態への移行やスリープ状態からの復帰の効率化・適正化を図る技術が各種提案されている。たとえば、利用履歴に基づき、頻繁に利用しているＰＣ（パーソナルコンピュータ）からのステータス要求には直ぐに稼動状態に移行するが、頻繁に利用していないＰＣからの要求にはスリープ状態のままで復帰しない方法が提案されている（特許文献１参照）。
【０００４】
また、稼動履歴を記録しておき、スリープ状態からの復帰時に稼動履歴に基づき復帰させる機能部分を決定する方法が提案されている（特許文献２参照）。たとえば、原稿の読み取りだけを行いたい場合に、プリンタ部まで復帰させるのを稼動履歴に基づいて防ぐようになっている。
【先行技術文献】
【特許文献】
【０００５】
【特許文献１】特開２００６−３３４９３１号公報
【特許文献２】特開２００６−１７１２９７号公報
【発明の概要】
【発明が解決しようとする課題】
【０００６】
同一環境下に２台以上のプリンタや複合機などの画像形成装置が存在し、ユーザはどちらの画像形成装置も同じように使用できる場合において、一方の画像形成装置がスリープ状態にあり、他方が稼動状態にある場合にはスリープ状態の画像形成装置を稼動状態に復帰させて使用せずに、なるべく稼動状態にある画像形成装置を使用した方が効率的であり、また消費電力も抑えて省エネルギーに貢献する。
【０００７】
すなわち、一旦スリープ状態を解除すると、ジョブ終了後も所定時間電源ＯＮ状態が継続して電力を消費するので、複数の画像形成装置が存在する環境では、できる限りスリープ状態でない画像形成装置を使用することが望ましい。
【０００８】
しかし、ユーザに、各画像形成装置の稼動状態を示す情報や、省エネルギーの観点から使用を推奨する画像形成装置などを提示して、スリープ状態でない画像形成装置を選択するように指導しても、スリープ解除を要する画像形成装置が使用される場合がある。このような状況を改善するには、ユーザがどのような理由でスリープ状態の画像形成装置を敢えて選択したのかを把握して分析・評価することが望まれる。
【０００９】
たとえば、ユーザがスリープ状態の画像形成装置をジョブの実行先に選択する理由には、
（１）すべての画像形成装置がスリープ状態であった、
（２）稼動状態の画像形成装置に多数のジョブが予約されて待ち時間が長い、
（３）稼動状態の画像形成装置がユーザから遠い、
（４）稼動状態の画像形成装置がユーザの希望するジョブに対応する機能を備えていない、
といった正当な理由の場合もあれば、単に近くで便利だからという自分勝手な理由の場合もあるので、実態を把握して分析し、対策を講じることが望まれる。
【００１０】
しかしながら、特許文献１、２に開示された方法は、画像形成装置が当該装置の利用履歴を記録するものであり、他の画像形成装置との関係を把握できず、上記の分析には役立たない。
【００１１】
本発明は、上記の点に鑑みてなされたものであり、ユーザが如何なる理由でスリープ状態の画像形成装置をジョブの実行先に選択したかを分析可能な履歴情報を収集することのできる管理システムを提供することを目的としている。
【課題を解決するための手段】
【００１２】
かかる目的を達成するための本発明の要旨とするところは、次の各項の発明に存する。
【００１３】
［１］電源供給状態として、通常モードと、通常モードより消費電力の少ない省電力モードとを備えた複数の画像形成装置を管理対象とする管理システムであって、
画像形成装置が省電力モードから通常モードに復帰してジョブを実行したときの他の画像形成装置の稼動状態を取得して記憶する記憶部、
を有し、
前記他の画像形成装置のうちの通常モードである画像形成装置の稼働状態に基づいて、前記ジョブを実行したことの適不適を判定する
ことを特徴とする管理システム。
【００１４】
上記発明では、画像形成装置が省電力モードから通常モードに復帰してジョブを実行したときの他の画像形成装置の稼動状態が記憶される。省電力モードから通常モードに復帰してジョブを実行した画像形成装置が、複数の画像形成装置の中からジョブの実行先に何故選択されたかは、そのときの他の画像形成装置の状況から推定することができる。そこで、本発明では、画像形成装置が省電力モードから通常モードに復帰してジョブを実行したときの他の画像形成装置の稼動状態を記録する。なお、ジョブを実行した画像形成装置がその前に省電力モードであったことは明白なので、電源供給状態については、少なくとも他の画像形成装置の稼動状態を記憶すれば足りる。
【００１５】
［２］前記記憶部は、画像形成装置が省電力モードから通常モードに復帰してジョブを実行した場合にのみ、他の画像形成装置の稼動状態を記憶する
ことを特徴とする［１］に記載の管理システム。
【００１６】
上記発明では、画像形成装置が省電力モードから通常モードに復帰してジョブを実行した場合にのみ、他の画像形成装置の稼動状態を記憶するので、記憶するデータ量を少なく抑えることができる。
【００１７】
［３］前記記憶部は、ジョブ毎に、画像形成装置が該ジョブを省電力モードから通常モードに復帰して実行したか否かを示す情報と、該ジョブの実行時における他の画像形成装置の稼動状態とを関連つけて記憶する
ことを特徴とする［１］に記載の管理システム。
【００１８】
上記発明では、すべてのジョブについて、そのジョブの実行時に画像形成装置が省電力モードから復帰したか否かを示す情報と、そのときの他の画像形成装置の稼動状態とを関連付けて記憶する。これにより、後に、省電力モードから復帰してジョブを実行した稼動情報だけを抽出することができる。
【００１９】
［４］前記稼動状態は、電源供給状態を含む
ことを特徴とする［１］乃至［３］のいずれか１つに記載の管理システム。
【００２０】
上記発明では、他の画像形成装置の電源供給状態、たとえば、通常モードであったか省電力モードであったか、が稼動情報として記憶される。
【００２１】
［５］前記稼動状態は、予約ジョブの数、または、投入したジョブの実行が開始されるまでの待ち時間を含む
ことを特徴とする［１］乃至［４］のいずれか１つに記載の管理システム。
【００２２】
上記発明では、他の各画像形成装置における予約ジョブ数、待ち時間が稼動情報として記憶される。いずれも、投入したジョブが実行されるまでの待ち時間が長いか否かの判定材料となる。
【００２３】
［６］前記記憶部は、前記稼動状態に関する情報に関連つけて、省電力モードから通常モードに復帰して実行されたジョブのジョブ情報をさらに記憶する
ことを特徴とする［１］乃至［５］のいずれか１つに記載の管理システム。
【００２４】
上記発明では、ジョブ情報を記憶することで、省電力モードから復帰してどのようなジョブが実行されたかを知ることができる。
【００２５】
［７］前記ジョブ情報は、そのジョブを投入したユーザに関する情報を含む
ことを特徴とする［６］に記載の管理システム。
【００２６】
上記発明では、ユーザを特定できれば、たとえば、そのユーザと画像形成装置との距離が遠いか否かなどの判定に資することができる。
【００２７】
［８］前記ジョブ情報は、ジョブの種類を示す情報を含む
ことを特徴とする［６］に記載の管理システム。
【００２８】
［９］画像形成装置にジョブを送信する端末装置に対して、ジョブ送信先の画像形成装置を選択するための参考情報を提供する情報提供部をさらに有する
ことを特徴とする［１］乃至［８］のいずれか１つに記載の管理システム。
【００２９】
上記発明では、参考情報を提供することで、ユーザは、省電力モードから復帰せずにジョブを実行可能な画像形成装置を認識することが可能になる。参考情報を提供することで、省電力モードから復帰を要する画像形成装置が選択されたのは、正当な何らかの事情が存在する場合か、参考情報を無視した身勝手な使用の場合のいずれかであると推定することができる。
【００３０】
［１０］前記記憶部は、他の画像形成装置の稼動状態と共に前記ジョブを実行した画像形成装置の稼動状態を記憶する
ことを特徴とする［１］乃至［９］のいずれか１つに記載の管理システム。
【００３１】
上記発明では、ジョブを実行した画像形成装置の稼動状態をさらに記憶することで、他の画像形成装置との関係をより詳しく把握することが可能になる。
【００３２】
［１１］画像形成装置と、管理サーバとを有し、
前記各画像形成装置は、前記記憶部をそれぞれ備え、自装置が省電力モードから通常モードに復帰してジョブを実行した場合の他の画像形成装置の稼動状態を自装置の前記記憶部に記憶し、
前記管理サーバは、各画像形成装置の前記記憶部に記憶されている情報を収集する
ことを特徴とする［１］乃至［１０］のいずれか１つに記載の管理システム。
【００３３】
［１２］画像形成装置と、管理サーバとを有し、
画像形成装置は、省電力モードから通常モードに復帰してジョブを実行した場合にその旨を管理サーバに通知し、
前記管理サーバは、前記記憶部を備え、画像形成装置から前記通知を受けたとき、他の画像形成装置の稼動状態を前記記憶部に記憶する
ことを特徴とする［１］乃至［１０］のいずれか１つに記載の管理システム。
【００３４】
［１３］端末装置と、管理サーバとを有し、
前記各端末装置は、前記記憶部をそれぞれ備え、自装置からジョブを画像形成装置へ送信する際にその送信先の画像形成装置が省電力モードから通常モードに復帰して該ジョブを実行する場合の他の画像形成装置の稼動状態を自装置の前記記憶部に記憶し、
前記管理サーバは、各端末装置の前記記憶部に記憶されている情報を収集する
ことを特徴とする［１］乃至［１０］のいずれか１つに記載の管理システム。
【００３５】
［１４］端末装置と、管理サーバとを有し、
前記端末装置は、ジョブを画像形成装置へ送信する際に、その送信先の画像形成装置が省電力モードから通常モードに復帰して該ジョブを実行するときはその旨を管理サーバに通知し、
前記管理サーバは、前記記憶部を備え、前記端末装置から前記通知を受けたとき、前記ジョブの送信先以外の画像形成装置の稼動状態を前記記憶部に記憶する
ことを特徴とする［１］乃至［１０］のいずれか１つに記載の管理システム。
［１５］通常モードである他の画像形成装置が存在したか否か、通常モードの他の画像形成装置の中に予約ジョブ数が規定数未満の画像形成装置が存在するか否か、および、通常モードの画像形成装置がユーザから所定距離以内か否か、の少なくとも一を判定した結果に基づいて、適不適を判定する
ことを特徴とする［１］乃至［１４］のいずれか１つに記載の管理システム。
【発明の効果】
【００３６】
本発明に係る管理システムによれば、ユーザが如何なる理由で省電力モードの画像形成装置をジョブの実行先に選択したかを分析可能な情報を記憶することができる。この情報は、たとえば、機器のレイアウト変更や自分勝手なユーザへの警告に利用することができる。
【図面の簡単な説明】
【００３７】
【図１】本発明の第１の実施の形態に係る管理システムの構成例を示す説明図である。
【図２】複合機の概略構成を示すブロック図である。
【図３】管理サーバの概略構成を示すブロック図である。
【図４】管理サーバが行うＭＦＰ監視処理を示す流れ図である。
【図５】電力状態テーブルの一例を示す説明図である。
【図６】ジョブ状態テーブルの一例を示す説明図である。
【図７】ジョブ受信時の複合機の動作を示す流れ図である。
【図８】スリープ解除の通知を受けた管理サーバの動作を示す流れ図である。
【図９】履歴ＤＢの記憶内容の一例を示す説明図である。
【図１０】適不適判定処理（図８のステップＳ１２５）の詳細を示す流れ図である。
【図１１】管理サーバが行う抽出処理の流れ図である。
【図１２】機能とその機能の実行で使用される機能ユニットとの対応関係を示す機能別使用ユニットテーブルの一例を示す説明図である。
【図１３】機能ユニット別に電源供給状態が登録された電力状態テーブルの一例を示す説明図である。
【図１４】情報処理装置にインストールされている複合機用のドライバプログラムが行う処理の流れ図である。
【図１５】ドライバ画面に表示された推奨ＭＦＰリストの一例を示す説明図である。
【図１６】第３の実施の形態の複合機が行うジョブ受信時の動作を示す流れ図である。
【図１７】第３の実施の形態に係る管理サーバが行う履歴情報収集処理の流れ図である。
【図１８】第４の実施の形態の情報処理装置にインストールされている複合機用のドライバプログラムが行う処理の流れ図である。
【図１９】第４の実施の形態に係る管理サーバが行う履歴情報収集処理の流れ図である。
【発明を実施するための形態】
【００３８】
以下、図面に基づき本発明の各種実施の形態を説明する。
【００３９】
＜第１の実施の形態＞
図１は、本発明の第１の実施の形態に係る管理システム５の構成例を示している。管理システム５は、ＬＡＮ（Local Area Network）などのネットワーク２に複数台の複合機１０（ＭＦＰとも呼ぶ。）および管理サーバ２０を接続して構成される。ネットワーク２には、複合機１０に対してジョブを送信するパーソナルコンピュータなどの情報処理装置４０（ＰＣとも呼ぶ）が複数台接続されている。
【００４０】
図２は、複合機１０の概略構成を示している。複合機１０は、原稿を光学的に読み取ってその複製画像を記録紙に印刷するコピー機能、読み取った原稿の画像データをファイルにして保存したり外部端末へネットワークを通じて送信したりするスキャン機能、情報処理装置４０等からネットワーク２を通じて受信した印刷データに係る画像を記録紙に形成して印刷出力するプリント機能、ファクシミリによって画像データを送受信するＦＡＸ機能など複数の機能を備えた画像形成装置である。
【００４１】
図２に示すように、複合機１０は、当該複合機１０の動作を統括制御する制御部１１と、該制御部１１によって制御される各種の機能ユニットＡ〜Ｄと、不揮発メモリ１４と、制御部１１および各部へ電力供給する電源部１６とを備えている。
【００４２】
制御部１１は、ＣＰＵ（Central Processing Unit）、ＲＯＭ（Read Only Memory）、ＲＡＭ（Random Access Memory）などを主要部として構成され、ＲＯＭに格納されている各種のプログラムに従ってＣＰＵが処理を実行することにより複合機１０としての各機能が実現される。
【００４３】
記録紙に画像を形成して出力する画像形成部１２は、機能ユニットＡおよび機能ユニットＢを含んで構成される。機能ユニットＡは、給紙カセットに収容されている用紙のサイズや種類を検知したり、給紙カセットに収容されている用紙を繰り出して搬送したりする機能を果たす。機能ユニットＢは、機能ユニットＡが搬送する用紙上に画像を形成して定着する機能を果たす。機能ユニットＢは、感光体ドラム、帯電装置、レーザーユニット、現像装置、転写分離装置、クリーニング装置、定着器などを備えており、電子写真プロセスによって画像形成を行う。
【００４４】
機能ユニットＣは、画像形成部１２から排出される用紙に対して、穴あけ、綴じ、折りなどの後処理を施すフィニッシャ部としての機能を果たす。
【００４５】
機能ユニットＤ（スキャン機能部）は、原稿を光学的に読み取って画像データを取得する機能を果たす。機能ユニットＥは、自動原稿搬送装置（ＡＤＦ）であり、原稿台にセットされた原稿を１枚ずつ順次繰り出し、機能ユニットＤによる原稿の読み取り位置を経て排紙トレイまで搬送する機能を果たす。
【００４６】
機能ユニットＤは、機能ユニットＥによって搬送される原稿を順次読み取るほか、プラテンガラス上にセットされた原稿を読み取る機能を備えている。機能ユニットＤは、たとえば、原稿に光を照射する光源と、その反射光を受けて原稿を幅方向に１ライン分読み取るラインイメージセンサと、プラテンガラス上の原稿を読み取る場合にライン単位の読取位置をプラテンガラスの裏面に沿って原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００４７】
機能ユニットＦ（ＦＡＸ基盤部）は、ファクシミリによる送受信を行うための各種回路で構成される。機能ユニットＦ（ＦＡＸ基盤部）は、画像データの符号化・復号化、発呼、着呼、ファクシミリ通信のプロトコル制御などを行う。
【００４８】
機能ユニットＧ（ネットワーク部）は、ネットワーク２を通じて他の複合機１０や管理サーバ２０、情報処理装置４０などと各種のデータを送受信する機能を果たす。
【００４９】
機能ユニットＨ（記憶部）は、たとえば、印刷データやスキャン機能で読み取った画像データなどの保存に使用される大容量不揮発の記憶装置である。また実行したジョブの履歴が記憶される。
【００５０】
機能ユニットＩ（操作パネル部）は、各種の操作画面や設定画面などを表示したり、ユーザからジョブの投入や設定など各種の操作を受け付けたりする操作パネルである。機能ユニットＩは、液晶ディスプレイ（ＬＣＤ…Liquid Crystal Display）などの表示部と、その画面上に設けられて押下された座標位置を検出するタッチパネルのほかテンキーや文字入力キー、スタートキーなどを備えた操作部から構成される。
【００５１】
不揮発メモリ１４には、システム情報、ユーザ情報などが記憶される。システム情報には、当該複合機１０のＩＰアドレス、装置の識別情報（名称や番号、ＩＤなど）も含まれる。
【００５２】
電源部１６は、商用電源からの電力を適宜の電圧に変換して複合機１０の各部へ電力を供給する。また、制御部１１からの指示に従って、電力を各部へ供給するか供給停止するかを切り替える機能を備えている。複合機１０は、電源供給状態（電力供給状態）として、動作可能に各部へ通電する通常モードと、通常モードよりも消費電力の少ない省電力モードを備えており、その遷移は制御部１１が管理し制御する。
【００５３】
通常モードでは、複合機１０は各種のジョブを実行可能である。省電力モードではジョブは実行できず、通常モードへ復帰する要因（たとえば、ＰＣからのジョブ受信やユーザ操作の入力など）の発生を監視する部分だけを動作させている。また、一旦、通常モードになると、ジョブの実行が完了した後も、予め設定された時間（たとえば、１０分〜３０分ほど）は電力の供給を継続し、その間に新たなジョブの実行やユーザ操作などがなければ、省電力モードへ自動的に移行するようになっている。なお、通常モードをＯＮ状態、省電力モードをスリープ状態とも呼ぶ。また、スリープ状態から電力供給を再開すること（あるいは通常モードへ復帰すること）をスリープ解除と呼ぶものとする。
【００５４】
図３は、管理サーバ２０の概略構成を示している。管理サーバ２０は、各複合機１０の稼動状態（電源供給状態や、予約ジョブ数、待ち時間などの情報を含む）を監視する機能、各複合機１０がスリープ状態から通常モードへ復帰してジョブを実行したときの各複合機１０の稼動状態を履歴情報として記憶する機能などを果たす。
【００５５】
管理サーバ２０は、ＣＰＵ２１を備え、該ＣＰＵ２１にはバス２２を通じてＲＯＭ２３と、ＲＡＭ２４と、不揮発メモリ２５と、ネットワークＩ／Ｆ部２６と、ハードディスク装置２７と、入出力Ｉ／Ｆ２８などが接続されている。さらに入出力Ｉ／Ｆ２８を介して、液晶ディスプレイなどの表示装置３１と、キーボードやマウスなどの操作入力デバイス３２が接続されている。
【００５６】
ＲＯＭ２３には起動用のプログラムや固定データが記憶される。ＲＡＭ２４は、ハードディスク装置２７からロードしたプログラムが記憶される。またＲＡＭ２４は、ＣＰＵ２１がプログラムを実行する際に各種のデータを一時的に格納するワークメモリなどとして使用される。
【００５７】
不揮発メモリ２５は、電源をオフにしても記憶内容が破壊されないメモリであり、各種の設定情報が保存される。また、不揮発メモリ２５には、各複合機１０の電源供給状態が登録される電力状態テーブル６０、および、各複合機１０の予約ジョブ数などが登録されるジョブ状態テーブル６５が作成されて記憶される。
【００５８】
ネットワークＩ／Ｆ部２６は、ネットワーク２を介して複合機１０や情報処理装置４０などの外部装置と各種のデータを送受信する機能を果たす。
【００５９】
ハードディスク装置２７は、大容量不揮発の記憶装置であり、ＯＳプログラムや動作プログラムなどが保存される。また、ハードディスク装置２７には、スリープ解除の履歴情報が累積登録される履歴ＤＢ５０（データベース）が保存される。さらに、各複合機１０および各情報処理装置４０の配置位置を示すレイアウト情報を保持する。配置位置は、たとえば、オフィスなどの間取りを示すマップ上での位置座標で表される。また、ハードディスク装置２７には、各複合機１０が有する機能（実行可能なジョブの種類）や処理能力（プリントスピードなど）に関する情報などが保存されている。
【００６０】
情報処理装置４０は、複合機１０に対して、スキャンジョブやプリントジョブなどのジョブを投入してその実行を依頼する機能を備えている。情報処理装置４０は、ＯＳプログラムや複合機１０のドライバプログラム、文書や画像を作成・編集するアプリケーションプログラムなどがインストールされたパーソナルコンピュータなどで構成される。
【００６１】
次に、管理システム５の動作について説明する。
【００６２】
図４は、管理サーバ２０が行うＭＦＰ監視処理の流れを示している。管理サーバ２０は、各複合機（ＭＦＰ）１０と通信して、それぞれの複合機１０からその電源供給状態を示す情報を受信し（ステップＳ１０１）、その受信内容で電力状態テーブル６０を更新する（ステップＳ１０２）。図５は電力状態テーブル６０の一例を示している。電力状態テーブル６０には、複合機１０毎に、その複合機１０の名称（ＭＦＰ１、２など）とその複合機１０の電源供給状態とが対応つけて登録される。図中の「ＯＮ」は通常モードを、「スリープ」はスリープ状態をそれぞれ示している。
【００６３】
さらに管理サーバ２０は、各複合機（ＭＦＰ）１０と通信して、それぞれの複合機１０から予約ジョブ数および待ち時間の情報を受信し（図４：ステップＳ１０３）、受信した内容でジョブ状態テーブル６５を更新する（ステップＳ１０４）。予約ジョブとは、投入されたが実行待ちになっているジョブである。待ち時間は、次のジョブを投入した場合にそのジョブの実行が開始されるまでの待ち時間である。
【００６４】
図６は、ジョブ状態テーブル６５の一例を示している。ジョブ状態テーブル６５には、複合機１０毎に、その複合機１０の名称（ＭＦＰ１、２など）とその複合機１０に投入済みの予約ジョブの数と、待ち時間とが対応付けて登録される。
【００６５】
図４のＭＦＰ監視処理では、管理サーバ２０は、以上の処理を所定の監視周期（たとえば、１０秒）毎に繰り返し行う（ステップＳ１０５）。これにより、管理サーバ２０は各複合機１０の最新の稼動状態を常に把握している。
【００６６】
情報処理装置４０は、複合機１０に対してプリントジョブなどのジョブを送信する際に、管理サーバ２０から各複合機１０の稼動状態（具体的には電力状態テーブル６０およびジョブ状態テーブル６５）を入手して、該情報や、該情報からジョブの送信先に推奨する複合機を決定してユーザに提示する。この推奨では、通常モードとスリープ状態の複合機１０が混在する場合、通常モードの複合機１０を優先的に推奨するようになっている。ユーザは、提示された情報を参考にジョブの実行先（送信先）の複合機１０を選択し、情報処理装置４０は選択された複合機１０に対してジョブを送信する。
【００６７】
ユーザは、各複合機１０の稼動状態を示す情報や推奨内容を参考にして、通常モードの複合機１０をジョブ実行先に選択する場合もあれば、スリープ状態の複合機１０を選択する場合もある。そこで、管理システム５は、スリープ解除してジョブが実行された場合に、その理由を分析・評価するための履歴情報を収集して記憶するようになっている。以下、その詳細を説明する。
【００６８】
図７は、ジョブ受信時の複合機１０の動作を示している。複合機１０は、ジョブを受信したとき、自装置が該受信によってスリープ解除したか否かを判定し（ステップＳ２０１）、スリープ解除でなければ（ステップＳ２０１；Ｎｏ）、そのジョブを実行して（ステップＳ２０４）、本処理を終了する。
【００６９】
一方、ジョブ受信によってスリープ解除したときは（ステップＳ２０１；Ｙｅｓ）、管理サーバ２０へスリープ解除を通知する（ステップＳ２０２）。さらに、このジョブを投入したユーザ（ジョブ送信元の情報処理装置４０を特定する情報でもよい）や実行したジョブの種類を示すジョブ情報を管理サーバ２０へ送信して通知する（ステップＳ２０３）。そして、受信したジョブを実行して（ステップＳ２０４）本処理を終了する。
【００７０】
図８は、スリープ解除の通知を受けた管理サーバ２０の動作を示している。スリープ解除の通知を複合機１０から受信すると、これに続けてその複合機１０から送られてくるジョブ情報（ユーザやジョブ種などを含む）を受信する（ステップＳ１２１）。管理サーバ２０は、自装置が保持している電力状態テーブル６０およびジョブ状態テーブル６５を参照して、スリープ解除の通知の送信元以外の複合機１０（これを他のＭＦＰとする）の稼動状態（電源供給状態およびジョブ状態（予約ジョブ数、待ち時間））を取得する（ステップＳ１２２、Ｓ１２３）。そして、これらをスリープ解除の履歴情報として履歴ＤＢ５０に記憶する（ステップＳ１２４）。なお、本例では、スリープ解除の通知の送信元の複合機１０（ジョブ実行ＭＦＰとする）の稼動状態（電源供給状態およびジョブ状態）も履歴情報に含めて記憶するようになっている。
【００７１】
図９は、履歴ＤＢ５０の記憶内容の一例を示している。履歴ＤＢ５０には、スリープ解除したジョブ毎に１つのレコードが作成されて履歴情報が記録される。レコードには、通し番号、判断結果（スリープ解除の適不適）、ジョブ実行ＭＦＰ、スリープ解除時刻、ユーザ（該ジョブを送信した情報処理装置４０の使用者）、ジョブ種（実行したジョブの種類）のフィールドが基本項目として設けられる。さらに管理対象の複合機１０の台数分だけ稼動情報を登録するフィールドが設けられている。複合機１０毎の稼動情報は、電源供給状態、予約ジョブ数、待ち時間のフィールドで構成される。なお、図９の履歴ＤＢ５０では、電源供給状態のフィールドにおいて「ＯＮ」は通常モードを示し、「ＳＬ」はスリープ状態を示している。
【００７２】
図９の例では管理対象の複合機１０はＭＦＰ１〜ＭＦＰ６であり、Ｎｏ１〜Ｎｏ８までのレコードが、すなわち、スリープ解除して実行された８個のジョブについて履歴情報が登録されている。
【００７３】
図８に戻って説明を続ける。管理サーバ２０は履歴ＤＢ５０に今回のスリープ解除に関する履歴情報を記録した後、今回のスリープ解除の適不適を判定する（ステップＳ１２５）。
【００７４】
図１０は、適不適判定処理（図８のステップＳ１２５）の詳細を示している。他のＭＦＰの中にＯＮ状態（電源供給状態が通常モード）のＭＦＰが存在したか否かを判定し（ステップＳ１４１）、存在しない場合は（ステップＳ１４１；Ｎｏ）、「適切な使用」と判定する（ステップＳ１４６）。
【００７５】
他のＭＦＰの中にＯＮ状態のＭＦＰが存在する場合は（ステップＳ１４１；Ｙｅｓ）、ＯＮ状態の他のＭＦＰの中に、予約ジョブ数が規定数（ここでは「３」）未満のＭＦＰが存在するか否かを判定する（ステップＳ１４２）。存在しない場合は（ステップＳ１４２；Ｎｏ）、「適切な使用」と判定する（ステップＳ１４６）。
【００７６】
予約ジョブ数が規定数未満のＭＦＰが存在する場合は（ステップＳ１４２；Ｙｅｓ）、ＯＮ状態の他のＭＦＰの中に、待ち時間が規定時間（ここでは「５分」とする）未満のＭＦＰが存在するか否かを判定する（ステップＳ１４３）。存在しない場合は（ステップＳ１４３；Ｎｏ）、「適切な使用」と判定する（ステップＳ１４６）。
【００７７】
待ち時間が規定時間未満のＭＦＰが存在する場合は（ステップＳ１４３；Ｙｅｓ）、ＯＮ状態のＭＦＰがユーザ（ジョブ送信元の情報処理装置４０）から所定距離（たとえば、１０ｍ）以内か否かを判定する（ステップＳ１４４）。この判定は、管理サーバ２０が記憶しているレイアウト情報に基づいて行う。すなわち、レイアウト情報から各ＭＦＰおよび各情報処理装置４０の位置を認識できるので、これらから、ＯＮ状態のＭＦＰとジョブ送信元の情報処理装置４０との距離を求めて判定する。
【００７８】
ＯＮ状態のＭＦＰが所定距離より遠い場合は（ステップＳ１４４；Ｎｏ）、「適切な使用」と判定し（ステップＳ１４６）、所定距離以内の場合は（ステップＳ１４４；Ｙｅｓ）「不適切な使用」と判定する（ステップＳ１４５）。
【００７９】
管理サーバ２０は上記の適不適判定処理の判定結果を履歴ＤＢ５０の該当するレコードの判断結果の欄に記録して（図８：ステップＳ１２６）処理を終了する。
【００８０】
たとえば、図９の履歴ＤＢ５０の例では、Ｎｏ．１の場合、ＭＦＰ２がＯＮ状態であるが、予約ジョブ数、待ち時間ともに設定値を越えているため、このスリープ解除によるジョブの実行は「適切な使用」と判断される。Ｎｏ．２はＮｏ．１と同じである。
【００８１】
Ｎｏ．３の場合、ＭＦＰ２がＯＮ状態であり、予約ジョブ数も設定値以下であるが、待ち時間が設定値を越えているため、「適切な使用」と判断される。
【００８２】
Ｎｏ．４の場合、ＭＦＰ２とＭＦＰ４がＯＮ状態であり、ＭＦＰ２は予約ジョブ数、待ち時間ともに設定値を越えている。ＭＦＰ４は予約ジョブ数、待ち時間ともに設定値以下であるが、「Ａ」のユーザからは遠いため「適切な使用」と判断される。
【００８３】
Ｎｏ．５はすべてのＭＦＰがスリープのため「適切な使用」と判断される。
【００８４】
Ｎｏ．６はＭＦＰ１とＭＦＰ２がＯＮ状態であるが、ＭＦＰ１は予約ジョブ数、待ち時間ともに設定値以下であるため、「不適切な使用」と判断される。
【００８５】
Ｎｏ．７はＭＦＰ２のみＯＮ状態であるが、予約ジョブ数、待ち時間ともに設定値以下であるため、「不適切な使用」と判断される。Ｎｏ．８はＮｏ．５と同じである。
【００８６】
図１１は、管理サーバ２０が行う抽出処理を示している。抽出処理を実行することで、「適切な使用」と判断されたレコードのみ、あるいは「不適切な使用」と判断されたレコードのみを抽出して表示することができる。管理サーバ２０は、まず、抽出条件の入力を受ける（ステップＳ１６１）。たとえば、［適切な使用］のみを抽出する指定、あるいは「不適切な使用」のみ抽出する指定などの入力を受ける。
【００８７】
管理サーバ２０は、入力された抽出条件に一致するレコードのみを履歴ＤＢ５０から抽出し（ステップＳ１６２）、その抽出したレコードの内容をリスト化して表示装置３１に表示する（ステップＳ１６３）。
【００８８】
なお、図１０の適不適判定処理の判断結果のみならず、「適切な使用」と判断した理由をスリープ解除の履歴情報の一部として記憶しておき、その理由を上記リストに表示するようにしてもよい。また、抽出条件の１つに「適切な使用」と判断した理由を加えることができるように構成し、特定の理由で適切と判断されたレコードだけを抽出可能にしてもよい。
【００８９】
たとえば、図１０のステップＳ１４１；Ｎｏで「適切な使用」と判断した場合は、その判断理由として「ＯＮ状態のＭＦＰなし」を、またステップＳ１４２；Ｎｏで「適切な使用」と判断した場合は、その判断理由として「予約ジョブ数＜３のＭＦＰなし」を履歴情報の一部として記憶するようにすればよい。
【００９０】
履歴ＤＢ５０には、スリープ解除してジョブが実行されたときの他のＭＦＰの稼動状態を記憶するので、スリープ解除された理由を他のＭＦＰの稼動状態から推定することができる。すなわち、履歴ＤＢ５０に記憶されたスリープ解除の履歴情報を分析・評価すれば、スリープ解除の原因を究明することができ、原因が究明されると、その原因に応じた対策が可能になる。
【００９１】
たとえば、スリープ解除によるジョブ実行が「適切な使用」と判断された理由が「ＯＮ状態のＭＦＰがユーザから遠い」の場合は、ＭＦＰまたはユーザの使用する情報処理装置４０の配置を変更する、といった対策が採れる。スリープ解除によるジョブ実行が「適切な使用」と判断された理由が「ＯＮ状態のＭＦＰに多数のジョブが予約されて待ち時間が長い」の場合には、同一環境内に複数のＭＦＰが複数あるにも係らず、ある限定されたＭＦＰにジョブが集中している状態と考えられる。そこで、このような場合には、ジョブを分散し、常にＯＮ状態にあるＭＦＰを増やすことでスリープ状態に入ることなく効率的な使用が可能なように、推奨ＭＦＰの決定アルゴリズムを変更する、といった対応を採ることができる。
【００９２】
また、特段の事情なくスリープ解除された場合（「不適切な使用」と判断された場合）は、そのジョブの実行に対する課金を増額したり、使用者に警告するなどして、不適切な使用を抑制する対策をとることができる。
【００９３】
次に、第２の実施の形態について説明する。
【００９４】
第１の実施の形態では、スリープ解除してジョブを実行した複合機１０がその通知を管理サーバ２０へ送信する構成であったが、第２の実施の形態では、情報処理装置４０が、スリープ状態の複合機１０へジョブを送信する際に、スリープ解除の通知を管理サーバ２０へ送信するようになっている。
【００９５】
また、第１の実施の形態では、複合機１０を単位に電源供給状態を通常モードとスリープ状態に切り替える場合を説明したが、第２の実施の形態では、各複合機１０は、機能ユニット単位にＯＮ状態とスリープ状態とを制御でき、ジョブの種類に応じて、そのジョブの実行に必要な機能ユニットだけをスリープ解除するようになっている。
【００９６】
図１２は、機能とその機能の実行で使用される機能ユニットとの対応関係を示す機能別使用ユニットテーブル７０の一例を示している。機能別使用ユニットテーブル７０は、たとえば、複合機１０、管理サーバ２０、情報処理装置４０のそれぞれに記憶されて参照される。
【００９７】
図１２の機能別使用ユニットテーブル７０に登録されている機能は、情報処理装置４０から複合機１０に対して投入可能なジョブに係るものであり、プリント（出力のみ）、プリント（フィニッシャ）、スキャン（ガラス面）、スキャン（ＡＤＦ）、ＦＡＸ（送信のみ）、ＦＡＸ（同時出力）がある。図１２に示す機能別使用ユニットテーブル７０では、機能の実行に必要な機能ユニットの欄に○印を付してある。
【００９８】
プリント（出力のみ）の機能では、機能ユニットＡと機能ユニットＢと機能ユニットＧが使用され、情報処理装置４０から受信した印刷データに基づく印刷を画像形成部１２で行う。プリント（フィニッシャ）の機能では、機能ユニットＡと機能ユニットＢと機能ユニットＣと機能ユニットＧが使用され、情報処理装置４０から受信した印刷データに基づく印刷を画像形成部１２で行い、さらにその印刷物に穴あけ、綴じ、折などの後処理を行う。
【００９９】
スキャン（ガラス面）の機能では、機能ユニットＤと機能ユニットＧが使用され、プラテンガラスに載置された原稿を読み取り、その画像データを情報処理装置４０などの外部装置へネットワーク２を通じて送信する。スキャン（ＡＤＦ）の機能では、機能ユニットＤと機能ユニットＥと機能ユニットＧが使用され、１または複数枚の原稿を自動原稿搬送装置で搬送して順次読み取り、その画像データを情報処理装置４０などの外部装置へネットワーク２を通じて送信する。
【０１００】
ＦＡＸ（送信のみ）の機能では、機能ユニットＦと機能ユニットＧが使用され、情報処理装置４０から受信した画像データを指定された宛先へファクシミリ送信する。ＦＡＸ（同時出力）の機能では、機能ユニットＡと機能ユニットＢと機能ユニットＦと機能ユニットＧが使用され、情報処理装置４０から受信した画像データを、指定された宛先へファクシミリ送信すると共に画像形成部１２で印刷出力する。
【０１０１】
図１３は、第２の実施の形態の管理サーバ２０が保持し更新する電力状態テーブル６０Ｂの一例を示している。電力状態テーブル６０Ｂには、複合機１０毎に、各機能ユニットの電力供給状態が登録される。図中の○印は電力供給されていることを示し、無印はスリープ状態を示す。
【０１０２】
第２の実施の形態では、管理サーバ２０は、図４のＭＦＰ監視処理のステップＳ１０１において、各ＭＦＰから機能ユニット別の電源供給状態を受信する。また、ステップＳ１０２では図５の電力状態テーブル６０に代えて図１３の電力状態テーブル６０Ｂを更新する。
【０１０３】
図１４は、情報処理装置４０にインストールされている複合機１０用のドライバプログラムが行う処理の流れを示している。起動されたドライバプログラムは、まず、所定のドライバ画面を情報処理装置４０のディスプレイに表示し、該画面を通じてユーザからジョブの設定操作を受ける（ステップＳ３０１）。次に、設定されたジョブの機能（種類）を判別し（ステップＳ３０２）、そのジョブの実行に必要な機能ユニットを機能別使用ユニットテーブル７０を参照して判別する（ステップＳ３０３）。ここでは、機能別使用ユニットテーブル７０はドライバプログラムが予め保持しているものとする。
【０１０４】
次に、このジョブの実行先として推奨するＭＦＰ（推奨ＭＦＰ）を判別して表示する（ステップＳ３０４）。たとえば、情報処理装置４０は、各ＭＦＰからそれぞれの電力供給状態を取得する、あるいは管理サーバ２０から電力状態テーブル６０Ｂを入手する。そして、ステップＳ３０３で判別した必要な機能ユニットがすべてＯＮ状態のＭＦＰ（すなわち、スリープ解除不要なＭＦＰ）を優先的に推奨する。
【０１０５】
なお、推奨ＭＦＰを判別する処理では、スリープ解除の不要なＭＦＰが複数台あるときは、その複数のＭＦＰの現在の電源供給状態で他に使用可能な機能の少ないものの推奨順位を高くする。これは、他に使用可能な機能のある複合機１０は、該他の機能の使用を希望する他のユーザのために開放しておくことが好ましいことによる。
【０１０６】
また、スリープ解除を要するＭＦＰについては、スリープ解除する機能ユニットが１つであれば、その機能ユニットをスリープ解除した場合に使用可能な機能が多いものの推奨順位を高くし、スリープ解除する機能ユニットが複数の場合は、その数の少ないものの推奨順位を高くするようになっている。
【０１０７】
図１５は、ドライバ画面に表示された推奨ＭＦＰリストの一例を示している。推奨ＭＦＰリスト７３には、推奨するＭＦＰが推奨順に表示される。ここでは、推奨順に、各ＭＦＰの名称（ＭＦＰ１、２など）と省電力効果の大小と、スリープ解除を要する機能ユニット数とを対応付けて示してある。
【０１０８】
情報処理装置４０は、ドライバ画面に図１５に示すような推奨ＭＦＰリストを表示した後、ユーザからジョブ実行先のＭＦＰの選択を受ける（ステップＳ３０５）。該選択を受けると、その選択されたＭＦＰでジョブを実行した場合に、機能ユニットのスリープ解除が必要か否かを判別する（ステップＳ３０６）。たとえば、プリントジョブの場合は、機能ユニットＡ、Ｂ、Ｇについてスリープ解除を要するか否かを判別する。必要な機能ユニットの中に１つでもスリープ解除を要するものがあれば、スリープ解除必要と判定する。
【０１０９】
スリープ解除が必要なＭＦＰの場合は（ステップＳ３０６；Ｙｅｓ）、管理サーバ２０へスリープ解除を通知する（ステップＳ３０７）。さらに、このジョブを投入したユーザ（当該情報処理装置４０の特定情報でもよい）や実行したジョブの種類（機能）などを示すジョブ情報を管理サーバ２０へ送信して通知する（ステップＳ３０８）。そして、ステップＳ３０５で選択されたＭＦＰへジョブを送信して（ステップＳ３０９）、本処理を終了する。
【０１１０】
スリープ解除不要な場合は（ステップＳ３０６；Ｎｏ）、ステップＳ３０９へ移行し、選択されたＭＦＰへジョブを送信して（ステップＳ３０９）、本処理を終了する。
【０１１１】
なお、第２の実施の形態のように、機能ユニット別に電源供給状態を制御する場合には、管理サーバ２０は図８の処理で履歴ＤＢ５０にスリープ解除の履歴情報を登録するに際して、ジョブ種が示すジョブを実行するために必要な機能ユニットのすべてがＯＮ状態であれば、そのＭＦＰの電源供給状態として通常モード（「ＯＮ」）を登録し、ジョブ種が示すジョブを実行するために必要な機能ユニットがいずれか１つでもスリープ状態であれば、そのＭＦＰの電源供給状態としてスリープ状態（「ＳＬ」）を登録する。なお、スリープ解除通知を受けた時点の電力状態テーブル６０Ｂの内容すべてをその時点での各ＭＦＰの電源供給状態として履歴ＤＢ５０に登録するようにしてもよい。
【０１１２】
なお、第１の実施の形態のように、複合機１０が管理サーバ２０へスリープ解除通知を送信する構成においても、機能ユニット別に電源供給状態を制御・管理するようにしてもよい。
【０１１３】
次に、本発明の第３の実施の形態について説明する。
【０１１４】
第３の実施の形態では、各複合機１０にて、自装置がスリープ解除してジョブを実行したときの履歴情報を記憶しておき、管理サーバ２０は、必要時に各複合機１０から履歴情報を収集して履歴ＤＢ５０を作成するようになっている。
【０１１５】
図１６は、第３の実施の形態における、ジョブ受信時の複合機１０の動作を示している。複合機１０は、ジョブを受信したとき、自装置が該受信によってスリープ解除したか否かを判定し（ステップＳ２２１）、スリープ解除でなければ（ステップＳ２２１；Ｎｏ）、そのジョブを実行して（ステップＳ２２４）、本処理を終了する。
【０１１６】
一方、ジョブ受信によってスリープ解除したときは（ステップＳ２２１；Ｙｅｓ）、他のＭＦＰの稼動状態（電源供給状態および予約ジョブ数、待ち時間）を取得する（ステップＳ２２２）。当該複合機１０が各複合機１０に問い合わせて取得してもよいし、管理サーバ２０がＭＦＰ監視処理を実行して電力状態テーブル６０（もしくは６０Ｂ）やジョブ状態テーブル６５を保持しているならば、管理サーバ２０から取得してもよい。
【０１１７】
複合機１０は、こうして取得した他のＭＦＰの稼動状態を自装置内のハードディスク装置（機能ユニットＨ）などに記憶する。記憶する項目は、図９に示す履歴ＤＢ５０のうち、「判断結果」と「ジョブ実行ＭＦＰ」のフィールドを除く部分である。複合機１０毎に自装置がジョブを実行したとき履歴情報を記憶するので、「ジョブ実行ＭＦＰ」＝自装置であり、この項目の記憶は必要ない。また、適不適の判断は管理サーバ２０で行うため複合機１０では記憶しない。
【０１１８】
図１７は、第３の実施の形態に係る管理サーバ２０が行う履歴情報収集処理を示している。履歴情報収集処理は、一定周期（たとえば、１日に１回の所定時刻）、あるいは、管理者などから指示を受けた場合に実行される。
【０１１９】
まず、各複合機１０に対して履歴情報の送信要求を送信する（ステップＳ１８１）。これを受信した複合機１０は自装置で記憶している履歴情報を管理サーバ２０に送信する。管理サーバ２０は各複合機１０から送信されてきた履歴情報を受信し（ステップＳ１８２）、その受信した履歴情報を履歴ＤＢ５０に登録する（ステップＳ１８３）。この際、受信した履歴情報の送信元の複合機１０をジョブ実行ＭＦＰとして登録する。
【０１２０】
その後、適不適判定処理（ステップＳ１８５）を行い、その判定結果を履歴ＤＢ５０に登録して（ステップＳ１８６）処理を終了する。なお、ステップＳ１８５は図８のステップＳ１２５と、ステップＳ１８６は図８のステップＳ１２６と同一である。
【０１２１】
次に、本発明の第４の実施の形態について説明する。
【０１２２】
第４の実施の形態では、各情報処理装置４０にて、スリープ状態の複合機１０へジョブを送信したとき（当該ジョブにより送信先の複合機１０がスリープ解除する場合）の履歴情報を記憶しておき、管理サーバ２０は、必要時に各情報処理装置４０から履歴情報を収集して履歴ＤＢ５０を作成するようになっている。
【０１２３】
図１８は、第４の実施の形態の情報処理装置４０にインストールされている複合機１０用のドライバプログラムが行う処理の流れを示している。なお、図１４と同一処理の部分には同一のステップ番号を付してその説明を省略する。図１４との相違は、ステップＳ３０６で「Ｙｅｓ」となった場合に実行する、ステップＳ３１１、Ｓ３１２である。
【０１２４】
すなわち、ユーザの選択したＭＦＰがスリープ解除を要する複合機１０の場合は（ステップＳ３０６；Ｙｅｓ）、各複合機１０の稼動状態（電源供給状態、予約ジョブ数、待ち時間など）を取得する（ステップＳ３１１）。稼動情報は、当該情報処理装置４０が各複合機１０に問い合わせて取得してもよいし、管理サーバ２０がＭＦＰ監視処理を実行して電力状態テーブル６０、６０Ｂやジョブ状態テーブル６５を保持しているならば、管理サーバ２０から取得してもよい。
【０１２５】
情報処理装置４０は、こうして取得した各複合機１０の稼動状態を自装置内のハードディスク装置などの不揮発記憶部に記憶する（ステップＳ３１２）。記憶する項目は、図９に示す履歴ＤＢ５０のうち、「判断結果」と「ユーザ」のフィールドを除く部分である。情報処理装置４０毎に記憶するので、「ユーザ」＝自情報処理装置であり、この項目（ユーザ）の記憶は必要ない。また、判断は管理サーバ２０で行うため、情報処理装置４０では記憶しない。
【０１２６】
図１９は、第４の実施の形態に係る管理サーバ２０が行う履歴情報収集処理を示している。履歴情報収集処理は、一定周期（たとえば、１日に１回の所定時刻）、あるいは、管理者などから指示を受けた場合に実行される。
【０１２７】
まず、各情報処理装置４０に対して履歴情報の送信要求を送信する（ステップＳ１９１）。これを受信した情報処理装置４０は自装置で記憶している履歴情報を管理サーバ２０に送信する。管理サーバ２０は各情報処理装置４０から送信されてきた履歴情報を受信し（ステップＳ１９２）、その受信した履歴情報を履歴ＤＢ５０に登録する（ステップＳ１９３）。この際、受信した履歴情報の送信元の情報処理装置４０を「ユーザ」として登録する。
【０１２８】
その後、適不適判定処理（ステップＳ１９５）を行い、その判定結果を履歴ＤＢ５０に登録して（ステップＳ１９６）処理を終了する。なお、ステップＳ１９５は図８のステップＳ１２５と、ステップＳ１９６は図８のステップＳ１２６と同一である。
【０１２９】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１３０】
実施の形態では管理サーバ２０を設ける例を示したが、たとえば、いずれか１台の複合機１０に管理サーバ２０の機能を具備させてもかまわない。また、すべての複合機１０が管理サーバ２０の機能を備え、どの複合機１０でも図１１の抽出処理を実行可能に構成されてもよい。
【０１３１】
また、各実施の形態では、スリープ解除時の履歴情報のみを記憶するようにしたが、すべてのジョブについて履歴情報を記憶しておき、後に、その中からスリープ解除時の履歴情報だけを抽出して履歴ＤＢ５０を形成するような構成でもかまわない。この場合、すべてのジョブの履歴情報に、スリープ解除してジョブを実行したか否かを示す解除情報を含めておき、この解除情報に基づいてスリープ解除の履歴情報だけを抽出すればよい。たとえば、第３の実施の形態において、各複合機１０は自装置で実行したすべてのジョブについて履歴情報を記憶し、管理サーバ２０から履歴情報の送信要求を受けた場合に、スリープ解除の履歴情報だけを抽出して管理サーバ２０に送信するように構成すれば、無駄なデータの送信がなく、効率的である。
【符号の説明】
【０１３２】
２…ネットワーク
５…管理システム
１０…複合機（ＭＦＰ）
１１…制御部
１２…画像形成部
１４…不揮発メモリ
１６…電源部
２０…管理サーバ
２１…ＣＰＵ
２２…バス
２３…ＲＯＭ
２４…ＲＡＭ
２５…不揮発メモリ
２６…ネットワークＩ／Ｆ部
２７…ハードディスク装置
２８…入出力Ｉ／Ｆ
３１…表示装置
３２…操作入力デバイス
４０…情報処理装置（ＰＣ）
５０…履歴ＤＢ
６０、６０Ｂ…電力状態テーブル
６５…ジョブ状態テーブル
７０…機能別使用ユニットテーブル
７３…推奨ＭＦＰリスト
Ａ…機能ユニット（給紙カセット）
Ｂ…機能ユニット（ドラム・定着部など）
Ｃ…機能ユニット（フィニッシャ部）
Ｄ…機能ユニット（スキャン機能部）
Ｅ…機能ユニット（ＡＤＦ、自動原稿搬送装置）
Ｆ…機能ユニット（ＦＡＸ基盤部）
Ｇ…機能ユニット（ネットワーク部）
Ｈ…機能ユニット（記憶部）
Ｉ…機能ユニット（操作パネル部）
【図１】
0005636843.tif 000002
【図２】
0005636843.tif 000003
【図３】
0005636843.tif 000004
【図４】
0005636843.tif 000005
【図５】
0005636843.tif 000006
【図６】
0005636843.tif 000007
【図７】
0005636843.tif 000008
【図８】
0005636843.tif 000009
【図９】
0005636843.tif 000010
【図１０】
0005636843.tif 000011
【図１１】
0005636843.tif 000012
【図１２】
0005636843.tif 000013
【図１３】
0005636843.tif 000014
【図１４】
0005636843.tif 000015
【図１５】
0005636843.tif 000016
【図１６】
0005636843.tif 000017
【図１７】
0005636843.tif 000018
【図１８】
0005636843.tif 000019
【図１９】
0005636843.tif 000020